(57)【要約】【課題】応答性能（レスポンス）が良好なチェーンテンショナを提供することを目的とする。【解決手段】チェーンを摺動させる帯状の摺動面部と前記チェーンが前記摺動面部から外れる事が無いように前記摺動面部の幅方向両側に設けられた側壁部とを備えたゴム状弾性材製の本体部と、前記本体部内に埋設された帯状の金属補強板と、前記本体部の一端側に設けた、ハウジング側に揺動自在に保持する為の取付部と、前記取付部から離れた位置であって、前記摺動面部の裏面側に、前記摺動面部を前記チェーン側に押付けるテンショナリフタのプッシュロッドが当接する受部が設けられているチェーンテンショナにおいて、  前記受部の前記プッシュロッドが当接する領域に、硬質材製の板材が一体的に設けられていることを特徴とする。【選択図】  図１
2011094693.tif 000002
【特許請求の範囲】
【請求項１】
チェーン（２０）を摺動させる帯状の摺動面部（１）と前記チェーン（２０）が前記摺動面部（１）から外れる事が無いように前記摺動面部（１）の幅方向両側に設けられた側壁部（２）とを備えたゴム状弾性材製の本体部（６）と、前記本体部（６）内に埋設された帯状の金属補強板（３）と、前記本体部（６）の一端側に設けた、ハウジング側に揺動自在に保持する為の取付部（４）と、前記取付部（４）から離れた位置であって、前記摺動面部（１）の裏面側に、前記摺動面部（１）を前記チェーン（２０）側に押付けるテンショナリフタ（７０）のプッシュロッド（７１）が当接する受部（８）が設けられているチェーンテンショナ（９）において、
前記受部（８）の前記プッシュロッド（７１）が当接する領域に、硬質材製の板材（８１）が一体的に設けられていることを特徴とするチェーンテンショナ。
【請求項２】
前記板材（８１）が、金属材製であることを特徴とする請求項１記載のチェーンテンショナ。
【請求項３】
前記板材（８１）が、断面略コ字形状を呈しており、前記受部（８）の両側面（８２）、（８２）を拘束する形で配置されていることを特徴とする請求項２記載のチェーンテンショナ。
【請求項４】
前記板材（８１）が、前記受部（８）にカシメ固定されていることを特徴とする請求項３記載のチェーンテンショナ。
【請求項５】
テンショナ（９）が、内燃機関のカムチェーン用に使用されることを特徴とする請求項１〜４のいずれか一項に記載のテンショナ。
【発明の詳細な説明】
【技術分野】
【０００１】
本発明は、チェーンテンショナに関する。
また、本発明は、動力伝達手段として使用されるチェーンの張りを緊張させるためのチェーンテンショナに関するものである。
【０００２】
更にまた、本発明は、内燃機関のカムチェーン用のテンショナとして好適に用いられるチェーンテンショナに関する。
【背景技術】
【０００３】
従来、チェーンの巻き掛け伝動手段を使用した機械装置においては、チェーンの張りが弛緩して動力伝達効率が低下するのを防止する為に、チェーンの張りを緊張させるためのチェーンテンショナが併設されている。
【０００４】
具体的には、図３に示す形で使用されている。
すなわち図３は、内燃機関のカムチェーン室を通る縦断面図であり、図の左方が前方である。
クランク軸１０およびドライブスプロケット１１は図の矢印の方向へ回転する。
カムチェーン２０を介して駆動されるドリブンスプロケット３１およびカムシャフト３０は矢印の方向へ回転させられる。
ドライブスプロケット１１によって引っ張られる側のカムチェーン２０に沿って、このカムチェーン２０を案内するチェーンガイド４０が設けてあり、カムチェーン室を構成しているハウジング５０側に固定されている。
チェーンガイド４０のカムチェーン２０と摺動する側の断面は、略カムチェーン２０の幅に相当する凹溝となっており、カムチェーン２０はその溝底を摺動する。
【０００５】
一方、ドライブスプロケット１１によって押し出される側のカムチェーン２０に沿って、カムチェーンテンショナ９０が設けてある。
このチェーンテンショナ９０は、その下端部の取付部４００を中心として揺動可能に支持されている。
ハウジング５０を貫通してテンショナリフタ７０が設けられ、チェーン室内部に突出したプッシュロッド７１の先端でカムチェーンテンショナ２０に設けた受部８００を押し、押されたチェーンテンショナ９０がカムチェーン２０を押して、カムチェーン２０の弛みが防止されている。
【０００６】
図４及び図６に示す様に、チェーンテンショナ９０は、チェーン２０を摺動させる帯状の摺動面部１００とチェーン２０が摺動面部１００から外れる事が無いように摺動面部１００の幅方向両側に設けられた側壁部２００とを備えたゴム状弾性材製の本体部６００内に、弾力性に富んだスチール系金属で作られた補強板３００が埋設されている。
チェーンテンショナ９０の摺動面部１００は、カムチェーン２０の撓みの形に湾曲
成型され、そのチェーンテンショナ９０の摺動部１００側の断面は、ほぼカムチェーン２０の幅に相当する凹溝となっており、カムチェーン２０はその溝底を摺動する。
すなわち、カムチェーン２０が摺動面部１００から外れる事が無いように摺動面部１００の幅方向両側に側壁部２００を設ける構成としている。
【０００７】
しかし、プッシュロッド７１の先端で押圧する、チェーンテンショナ９０に設けた受部８００は、本体部６００と同一材質のゴム状弾性材製である為、プッシュロッド７１の先端部が受部８００内に食い込む問題を招来した。
この結果、チェーンテンショナ９０の応答性能（レスポンス）が悪くなる問題を惹起した。
【先行技術文献】
【特許文献】
【０００８】
【特許文献１】特開２００４−１２４９９８号公報
【発明の概要】
【発明が解決しようとする課題】
【０００９】
本発明は、上述した問題点に鑑みてなされたものであり、応答性能（レスポンス）が良好なチェーンテンショナを提供することを目的とする。
【課題を解決するための手段】
【００１０】
本発明のチェーンテンショナは、チェーンを摺動させる帯状の摺動面部と前記チェーンが前記摺動面部から外れる事が無いように前記摺動面部の幅方向両側に設けられた側壁部とを備えたゴム状弾性材製の本体部と、前記本体部内に埋設された帯状の金属補強板と、前記本体部の一端側に設けた、ハウジング側に揺動自在に保持する為の取付部と、前記取付部から離れた位置であって、前記摺動面部の裏面側に、前記摺動面部を前記チェーン側に押付けるテンショナリフタのプッシュロッドが当接する受部が設けられているチェーンテンショナにおいて、
前記受部の前記プッシュロッドが当接する領域に、硬質材製の板材が一体的に設けられていることを特徴とする。
【発明の効果】
【００１１】
本発明は、以下に記載されるような効果を奏する。
請求項１記載の発明のチェーンテンショナによれば、応答性能（レスポンス）が良好なチェーンテンショナを提供出来る。
請求項２記載の発明のチェーンテンショナによれば、プッシュロッドの先端部が受部内に食い込むことを確実に阻止出来る。
【００１２】
請求項３記載の発明のチェーンテンショナによれば、受部の変形を効果的に阻止出来るため、より応答性能（レスポンス）が良好なチェーンテンショナを提供出来る。
請求項４記載の発明のテンショナによれば、別体に製作した板材をカシメ固定することにより製作出来るため、安価に製造することが出来る。
【００１３】
請求項５記載の発明のチェーンテンショナによれば、内燃機関のカムチェーンに用いて特に有効である。
【図面の簡単な説明】
【００１４】
【図１】本発明に係るチェーンテンショナの側面である。
【図２】図１のチェーンテンショナのＡ−Ａ断面図である。
【図３】チェーンテンショナが適用される、内燃機関のカムチェーン室を通る要部縦断面図である。
【図４】従来技術に係るチェーンテンショナの側面図である。
【図５】図４のチェーンテンショナのＢ−Ｂ断面図である。
【発明を実施するための形態】
【００１５】
以下、本発明を実施するための最良の態様について、図に基づき説明する。
図１及び図２において、本発明に係る態様のチェーンテンショナは、チェーン２０を摺動させる帯状の摺動面部１とチェーン２０が摺動面部１から外れる事が無いように摺動面部１の幅方向両側に設けられた側壁部２とを備えたゴム状弾性材製の本体部６と、この本体部６内に埋設された帯状の金属補強板３と、本体部６の一端側に設けた、ハウジング側に揺動自在に保持する為の取付部４と、この取付部４から離れた位置であって、摺動面部１の裏面側に、摺動面部１をチェーン２０側に押付けるテンショナリフタ７０のプッシュロッド７１が当接する受部８が設けられる構成となっている。
そして、この受部８のプッシュロッド７１が当接する領域に、硬質材製の板材８１を配置する態様としている。
【００１６】
この板材８１は、金属材製や樹脂材製のものが適宜選択して用いられるが、耐熱性や変形が少ないことから、金属材製が好ましい。
そして、この板材８１は、断面略コ字形状を呈しており、受部８の両側面８２、８２の一部を拘束する形で配置されている。
このことにより、受部８が両側面８２、８２側に膨らむ変形を効果的に阻止出来る為、チェーンテンショナ９の良好な応答性能（レスポンス）が期待出来る。
この板材８１は、本体部６と一体成形しても良いが、本体部６と別体に製作した板材をカシメ固定することにより製作することにより、安価に製造することが出来る。
【００１７】
本体部６を構成しているゴム状弾性材は、各種のゴム材が適宜選択して用いられるが、内燃機関内で使用される環境では、耐熱性のゴム材であると共にエンジンオイルに対する耐油性も備えたゴム材が選択されるが、ニトリルゴム、アクリルゴムが好適に用いられる。
【００１８】
また、帯状の金属補強板３の材質は、各種の金属材が使用可能であるが、特にＳＫ５材、ＳＷＲＨ材が好適に用いられる。
また、この種チェーンテンショナ９は、図３に示す内燃機関のカムチェーン用に、好適に使用される。
【００１９】
また、本発明は上述の発明を実施するための最良の形態に限らず本発明の要旨を逸脱することなくその他種々の構成を採り得ることはもちろんである。
【符号の説明】
【００２０】
１    摺動面部
２    側壁部
３    金属補強板
４    取付部
６    本体部
８    受部
９    チェーンテンショナ
８１  板材
【図１】
2011094693.tif 000003
【図２】
2011094693.tif 000004
【図３】
2011094693.tif 000005
【図４】
2011094693.tif 000006
【図５】
2011094693.tif 000007